(57)【要約】【課題】泥水が飛散する環境で使用しても、シール性を十分に確保できる密封型転がり軸受を提供することである。【解決手段】内輪１と外輪２の間の軸受空間を内側と外側の２つの接触シール５、６で密封し、外側の接触シール６に内外２枚のリップ６ｃ、６ｄを設けることにより、外側の接触シール６で泥水を完全に遮断できるようにし、内側の接触シール５のリップ５ｃやシール摺接面１ａに泥水が付着しないようにして、泥水が飛散する環境で使用しても、シール性を十分に確保できるようにした。【選択図】図２
2006214550.tif 000002
【特許請求の範囲】
【請求項１】
内輪と外輪の間の軸受空間を、弾性部材で形成したリップをシール摺接面に接触させる接触シールで密封した密封型転がり軸受において、前記軸受空間を内側と外側の２つの前記接触シールで密封し、外側の接触シールに内外２枚のリップを設けたことを特徴とする密封型転がり軸受。
【請求項２】
前記外側の接触シールの内外２枚のリップのうちの外側のリップを前記シール摺接面と面接触させ、内側のリップを前記シール摺接面と線接触させるようにした請求項１に記載の密封型転がり軸受。
【請求項３】
前記外側の接触シールの内外２枚のリップを形成する弾性部材を、ニトリルゴムまたはフッ素ゴムとした請求項１または２に記載の密封型転がり軸受。
【請求項４】
前記内側の接触シールのリップを前記シール摺接面と線接触させるようにした請求項１乃至３のいずれかに記載の密封型転がり軸受。
【発明の詳細な説明】
【技術分野】
【０００１】
本発明は、内輪と外輪の間の軸受空間を接触シールで密封した密封型転がり軸受に関する。
【背景技術】
【０００２】
ダストや水等が飛散する環境で使用される転がり軸受には、これらが内輪と外輪の間の軸受空間へ侵入するのを防止するために、接触シールで軸受空間を密封した密封型転がり軸受が用いられている。接触シールは、ゴム等の弾性部材で形成されたリップを内輪や外輪のシール摺接面と接触させて、軸受空間を密封するものである。
【０００３】
この種の密封型転がり軸受には、軸受空間の両側に１つずつの接触シールを装着したものや（例えば、特許文献１参照）、これらの１つずつ装着した接触シールの外側に、さらに非接触のシールドを装着したものがある（例えば、特許文献２、３参照）。特許文献２に記載されたものでは、シールド（遮蔽板）を内輪に取り付けたものと外輪に取り付けたものとに分割し、これらの分割したシールド間にラビリンス隙間を形成している。また、特許文献３に記載されたものでは、シールド（カバー）と内側の接触シールの間にラビリンス隙間を形成している。さらに、特許文献２および特許文献３には、接触シールに設けたリップをシールドに接触させる構成も記載されている。
【０００４】
一方、自動車のプロペラシャフトのセンター軸支持部や、ドライブシャフトのジョイント軸支持部等に使用される転がり軸受は、車両の床下部位に配設されるので、泥水の飛散を受ける。
【０００５】
【特許文献１】実開平７−１０５５５号公報（第１図）
【特許文献２】実公平８−３７１０号公報（第１、２図）
【特許文献３】特開２００１−５０２８８号公報（第１、３〜１０図）
【発明の開示】
【発明が解決しようとする課題】
【０００６】
上述したような泥水の飛散を受ける部位に、特許文献１に記載されたような密封型転がり軸受を使用すると、飛散する泥水が接触シールのリップやシール摺接面に付着し、泥水中の泥によってリップやシール摺接面が摩耗し、シール性が著しく低下する問題がある。
【０００７】
特許文献２および特許文献３に記載された密封型転がり軸受は、シールドによって泥水が接触シールのリップやシール摺接面に直接付着するのは防止できるが、シールドは非接触の隙間部を有するので、泥水がこの隙間部からラビリンス隙間を通って、シールドと接触シールの間に侵入する。このようにシールドと接触シールの間に侵入した泥水は、水分の蒸発によって泥分の濃度が増大するので、この泥分の濃度が増大した泥水が接触シールのリップやシール摺接面に付着すると、これらの摩耗が促進される。このため、シール性の低下を十分に防止することはできない。
【０００８】
そこで、本発明の課題は、泥水が飛散する環境で使用しても、シール性を十分に確保できる密封型転がり軸受を提供することである。
【課題を解決するための手段】
【０００９】
上記の課題を解決するために、本発明は、内輪と外輪の間の軸受空間を、弾性部材で形成したリップをシール摺接面に接触させる接触シールで密封した密封型転がり軸受において、前記軸受空間を内側と外側の２つの前記接触シールで密封し、外側の接触シールに内外２枚のリップを設けた構成を採用した。
【００１０】
すなわち、軸受空間を内側と外側の２つの接触シールで密封し、外側の接触シールに内外２枚のリップを設けることにより、外側の接触シールで泥水を完全に遮断できるようにし、内側の接触シールのリップやシール摺接面に泥水が付着しないようにして、泥水が飛散する環境で使用しても、シール性を十分に確保できるようにした。
【００１１】
前記外側の接触シールの内外２枚のリップのうちの外側のリップを前記シール摺接面と面接触させ、内側のリップを前記シール摺接面と線接触させることにより、泥水を外側のリップの面接触でより完全に遮断するとともに、この面接触の界面から浸入する水分を、内側のリップの線接触で水切りして遮断することができる。
【００１２】
前記外側の接触シールの内外２枚のリップを形成する弾性部材には、耐摩耗性の優れたニトリルゴムまたはフッ素ゴムが好適である。
【００１３】
前記内側の接触シールのリップを前記シール摺接面と線接触させることにより、外側の接触シールの接触界面から浸入する水分を、より完全に水切りして遮断することができる。
【発明の効果】
【００１４】
本発明の密封型転がり軸受は、軸受空間を内側と外側の２つの接触シールで密封し、外側の接触シールに内外２枚のリップを設けることにより、外側の接触シールで泥水を完全に遮断できるようにし、内側の接触シールのリップやシール摺接面に泥水が付着しないようにしたので、泥水が飛散する環境で使用しても、シール性を十分に確保することができる。
【００１５】
前記外側の接触シールの内外２枚のリップのうちの外側のリップをシール摺接面と面接触させ、内側のリップをシール摺接面と線接触させることにより、泥水を外側のリップの面接触でより完全に遮断するとともに、この面接触の界面から浸入する水分を、内側のリップの線接触で水切りして遮断することができる。
【００１６】
前記内側の接触シールのリップをシール摺接面と線接触させることにより、外側の接触シールの接触界面から浸入する水分を、より完全に水切りして遮断することができる。
【発明を実施するための最良の形態】
【００１７】
以下、図面に基づき、本発明の実施形態を説明する。この密封型転がり軸受は、図１に示すように、内輪１と外輪２の間でボール３が保持器４に保持された軸受空間を、内側と外側の２つの接触シール５、６で密封した玉軸受である。
【００１８】
図２に示すように、前記各接触シール５、６は、それぞれ芯金部５ａ、６ａと、弾性部材で形成された弾性部５ｂ、６ｂとから成る。内側の接触シール５は、外輪２の内径面に設けられた溝２ｂに弾性部５ｂで取り付けられ、そのリップ５ｃのエッジ部が内輪１のシール摺接面１ａと線接触している。この内側の接触シール５のリップ５ｃの線接触によって、後述する外側の接触シール６の接触界面から浸入する水分が完全に水切り遮断される。
【００１９】
前記外側の接触シール６は、内輪１の外径面に設けられた段差部１ｂに芯金部６ａを嵌合して取り付けられ、ニトリルゴムまたはフッ素ゴムで形成された弾性部６ｂに内外２枚のリップ６ｃ、６ｄが設けられている。このうちの内側のリップ６ｃはエッジ部で外輪２のシール摺接面２ａと線接触し、外側のリップ６ｄは側面部でシール摺接面２ａと面接触している。したがって、周囲に飛散する泥水が外側のリップ６ｄの面接触で完全に遮断されるとともに、この面接触の界面から浸入する水分が、内側のリップ６ｃの線接触で水切り遮断される。なお、外側のリップ６ｄは、摩耗を考慮して十分なリップ締め代を設定されている。また、芯金部６ａの嵌合部からの泥水の侵入を防ぐため、接触シール６には嵌合部の外側をシールするリップ６ｅも設けられている。
【００２０】
上述した実施形態では、密封型転がり軸受を玉軸受としたが、本発明に係る密封型転がり軸受は、ころ軸受等の他の種類の転がり軸受にも採用することができる。また、内側と外側の各接触シールの形態は実施形態のものに限定されることはなく、外側の接触シールが内外２枚のリップを有するものであればよい。
【図面の簡単な説明】
【００２１】
【図１】密封型転がり軸受の実施形態を示す縦断面図
【図２】図１の要部を拡大して示す断面図
【符号の説明】
【００２２】
１  内輪
１ａ  シール摺接面
１ｂ  段差部
２  外輪
２ａ  シール摺接面
２ｂ  溝
３  ボール
４  保持器
５、６  接触シール
５ａ、６ａ  芯金部
５ｂ、６ｂ  弾性部
５ｃ、６ｃ、６ｄ、６ｅ  リップ
【図１】
2006214550.tif 000003
【図２】
2006214550.tif 000004